(57)【要約】【課題】設定された条件の確認を容易にする設定確認表示装置を提供する。【解決手段】設定確認表示装置は、電子文書に含まれるコンテンツを表示しておき、このコンテンツの一部に権限を設定するための設定情報の入力を受け付けた場合に、入力された設定情報に応じてコンテンツの一部（機密部分）に権限を設定し、この部分に権限が設定されていることを示す条件表示７１０を、権限の内容、権限付与の対象、及び、権限の有効期間等を区別できるように色又は模様を変えてプレビュー画面７００上に表示する。【選択図】          図９
2004252539.tif 000002
【特許請求の範囲】
【請求項１】
機密にすべき機密条件の設定対象を表示する第１の表示手段と、
設定対象に対して機密条件を設定する設定手段と、
この設定手段により機密条件が設定されていることを示す機密設定表示を、設定対象と共に表示する第２の表示手段と
を有する設定確認表示装置。
【請求項２】
前記第２の表示手段は、前記設定手段により設定される機密条件の内容を区別できる態様で、前記機密設定表示を表示する
請求項１に記載の設定確認表示装置。
【請求項３】
前記第１の表示手段は、前記電子文書に含まれるコンテンツを、前記設定対象として表示し、
前記設定手段は、表示されたコンテンツに対して権限を設定し、
前記第２の表示手段は、権限が設定されるコンテンツの範囲を示す機密設定表示を、この権限の種類、権限が与えられる対象、及び、権限の有効期間の少なくとも一つを区別できる表示態様で表示する
請求項２に記載の設定確認表示装置。
【請求項４】
前記第２の表示手段は、機密条件の内容に応じて異なる色、模様、又はこれらの組合せを用いて、前記機密設定表示を表示する
請求項１〜３のいずれかに記載の設定確認表示装置。
【請求項５】
前記機密設定表示は、機密条件の内容を識別するための内容識別表示と、機密条件が設定されている範囲を示す範囲識別表示とを含み、
前記第２の表示手段は、前記内容識別表示と、前記範囲識別表示とを互いに関連付けて表示する
請求項１〜４のいずれかに記載の設定確認表示装置。
【請求項６】
表示された範囲識別表示の選択操作を受け付ける入力手段
をさらに有し、
前記第２の表示手段は、いずれかの範囲識別表示が選択された場合に、選択された範囲識別表示に関連付けられた内容識別表示を所定の期間表示し、これ以外の場合に、内容識別表示の表示を禁止する
請求項５に記載の設定確認表示装置。
【請求項７】
機密にすべき機密条件の設定対象を表示し、
設定対象に対して機密条件を設定し、
設定対象に機密条件が設定されていることを示す機密設定表示を、前記設定対象と共に表示する
設定確認表示方法。
【請求項８】
コンピュータを含む設定確認表示装置において、
機密にすべき機密条件の設定対象を表示するステップと、
設定対象に対して機密条件を設定するステップと、
設定対象に機密条件が設定されていることを示す機密設定表示を、前記設定対象と共に表示するステップと
を前記設定確認表示装置のコンピュータに実行させるプログラム。
【発明の詳細な説明】
【０００１】
【発明の属する技術分野】
本発明は、条件設定を支援する設定確認表示装置に関する。
【０００２】
【従来の技術】
複数の対象に対して、複数種類の条件（アクセス権等）を設定する場合がある（特許文献１〜６）。例えば、電子文書に権限を設定する場合には、複数の文書領域に対して、権限の内容（閲覧、編集、又はコピー等の許可／不許可）、権限が与えられる対象の範囲、及び、権限の有効期間等の２種以上の条件が設定される。
このように、複数の条件が互いに入り組んだ状態で設定された場合に、これらの条件を単に羅列して表示しただけでは、設定された条件の把握が困難であり、条件の設定漏れが発生するおそれもある。
【０００３】
【特許文献１】
特開平１−２４３１７２号公報
【特許文献２】
特開平６−２１４８６２号公報
【特許文献３】
特開平１０−１１６２７１号公報
【特許文献４】
特開平１１−２５０７６号公報
【特許文献５】
特開２０００−２０３７７号公報
【特許文献６】
特開２００２−２７９２８９号公報
【０００４】
【発明が解決しようとする課題】
本発明は、上述した背景からなされたものであり、設定された機密条件の確認を容易にする設定確認表示装置、設定確認表示方法、およびそのプログラムを提供することを目的とする。
【０００５】
【課題を解決するための手段】
［設定確認表示装置］
上記目的を達成するために、本発明にかかる設定確認表示装置は、機密にすべき機密条件の設定対象を表示する第１の表示手段と、設定対象に対して機密条件を設定する設定手段と、この設定手段により設定対象に機密条件が設定されていることを示す機密設定表示を、設定対象と共に表示する第２の表示手段とを有する。
【０００６】
好適には、前記第２の表示手段は、前記設定手段により設定される機密条件の内容を区別できる態様で、前記機密設定表示を表示する。
【０００７】
好適には、前記第１の表示手段は、前記電子文書に含まれるコンテンツを、前記設定対象として表示し、前記設定手段は、表示されたコンテンツに対して権限を設定し、前記第２の表示手段は、権限が設定されるコンテンツの範囲を示す機密設定表示を、この権限の種類、権限が与えられる対象、及び、権限の有効期間の少なくとも一つを区別できる表示態様で表示する。
【０００８】
好適には、前記第２の表示手段は、機密条件の内容に応じて異なる色、模様、又はこれらの組合せを用いて、前記機密設定表示を表示する。
【０００９】
好適には、前記機密設定表示は、機密条件の内容を識別するための内容識別表示と、機密条件が設定された範囲を識別するための範囲識別表示とを含み、前記第２の表示手段は、前記内容識別表示と、前記範囲識別表示とを互いに関連付けて表示する。
好適には、表示された範囲識別表示の選択操作を受け付ける入力手段をさらに有し、前記第２の表示手段は、いずれかの範囲識別表示が選択された場合に、選択された範囲識別表示に関連付けられた内容識別表示を所定の期間表示し、これ以外の場合に、内容識別表示の表示を禁止する。
【００１０】
また、本発明にかかる設定確認表示方法は、機密にすべき機密条件の設定対象を表示し、設定対象に対して機密条件を設定し、設定対象に機密条件が設定されていることを示す機密設定表示を、前記設定対象と共に表示する。
【００１１】
また、本発明にかかるプログラムは、コンピュータを含む設定確認表示装置において、機密にすべき機密条件の設定対象を表示するステップと、設定対象に対して機密条件を設定するステップと、設定対象に機密条件が設定されていることを示す機密設定表示を、前記設定対象と共に表示するステップとを前記設定確認表示装置のコンピュータに実行させる。
【００１２】
【発明の実施の形態】
［背景］
まず本発明の理解を助けるために、具体例を挙げてその背景を説明する。
例えば、電子文書に機密部分が含まれている場合に、この機密部分についての閲覧（Ｖｉｅｗ）、印刷（Ｐｒｉｎｔ）、複製（Ｃｏｐｙ）、及び編集（Ｅｄｉｔ）等について許可／禁止の権限（以下、権限レベル）が機密条件として設定される。また、電子文書の各機密部分に対して、閲覧者毎及び期間毎に機密条件を設定したい場合もある。
このような場合には、電子文書の機密部分に複数の権限が設定され、設定された機密条件が互いに入り組んでいるため設定結果の確認が困難であり、権限の設定漏れが発生する可能性があった。
【００１３】
そこで、本実施形態の条件設定装置２は、権限の内容に応じて色又は模様が異なる条件識別表示（以下、条件表示）を表示し、設定された権限を視覚的に区別可能にして、設定された権限の確認を容易にする。
【００１４】
［第１実施形態］
次に、本発明の第１の実施形態を説明する。
図１は、本発明にかかる設定確認表示方法が適応される条件設定装置２のハードウェア構成を例示する図である。
図１に示すように、条件設定装置２は、ＣＰＵ２０２およびメモリ２０４などを含む制御装置２０、通信装置２２、プリンタ２３、ＨＤＤ・ＣＤ装置などの記録装置２４、および、ＬＣＤ表示装置あるいはＣＲＴ表示装置およびマウス・キーボード・タッチパネルなどを含むユーザインターフェース装置（ＵＩ装置）２６から構成される。
【００１５】
［条件設定プログラム５］
図２は、制御装置２０（図１）により実行され、本発明にかかる設定確認表示方法を実現する第１の条件設定プログラム５の構成を示す図である。
図２に示すように、第１の条件設定プログラム５は、ＵＩ部５１０（第１の表示手段）、設定管理部５２０（設定手段）、設定データベース（設定ＤＢ）５３０、ＵＩ制御部５４０、及び印刷部５５０から構成される。また、ＵＩ制御部５４０は条件表示制御部５４２（第２の表示手段）を有する。
条件設定プログラム５は、例えば記録媒体２４０（図１）またはネットワークを介して制御装置２０に供給され、メモリ２０４にロードされて実行される。
【００１６】
条件設定プログラム５において、ＵＩ部５１０は、ＵＩ装置２６（図１）のマウス又はキーボードを制御して、設定情報等の入力を受け付け、設定管理部５２０及びＵＩ制御部５４０に対して出力する。また、ＵＩ部５１０は、ＵＩ装置２６の表示装置を制御して、設定画面及び設定確認画面等を表示させる。
【００１７】
設定管理部５２０は、ＵＩ部５１０から入力された設定情報に応じて、条件（機密条件）の設定を行い、設定ＤＢ５３０に格納されている設定テーブルを更新する。また、設定管理部５２０は、新たに入力された設定情報が、既に設定されている条件と矛盾しないかチェックして、このチェックの結果を、ＵＩ部５１０を介して出力してもよい。
【００１８】
ＵＩ制御部５４０の条件表示制御部５４２は、条件が設定されていることを示す条件表示（機密設定表示）を、ＵＩ部５１０を制御して表示させる。例えば、条件表示制御部５４２は、設定ＤＢ５３０に格納されている設定条件（機密条件）の更新を検知して、更新された設定条件を示す条件表示を表示させる。このとき、条件表示制御部５４２は、設定されている権限の内容（権限レベル、期間、及び対象等）を区別できるように、条件表示の色又は模様を変えて、条件が設定される機密部分（設定対象）に重ねて表示させる。
【００１９】
印刷部５５０は、ＵＩ部５１０を介して印刷指示が入力されると、プリンタ２３（図１）を制御して設定確認画面等を印刷する。
【００２０】
図３は、設定ＤＢ５３０が記憶する設定テーブル５３２を例示する図である。
図３に例示するように、設定ＤＢ５３０は、設定条件番号（設定条件Ｎｏ）、権限が設定される機密部分、権限が与えられる対象（権限範囲）、権限レベル（権限内容）、及び権限の有効期間（期間）を互いに対応付けて設定テーブル５３２として記憶する。
「設定条件Ｎｏ」は、設定情報の入力順に割り当てられるシリアル番号であり、設定情報の識別情報として用いられる。
「機密部分」は、権限が設定される範囲を示し、例えば、電子文書内の機密部分を示す。
「権限範囲」は、権限が与えられている閲覧者の範囲を示す。例えば、「Ａ１２Ｇ００００」は、「Ａ１２グループ」の構成員全体が権限付与範囲であることを示し、「Ａ１３Ｇ０００１」は、「Ａ１３グループ」に属する構成員番号「０００１」に対応する構成員が権限付与範囲であることを示す。
「権限内容」は、権限レベルを示し、例えば、「Ｖ」及び「Ｅ」は、それぞれ閲覧可能及び編集可能を示し、「ＡＬＬ」は、閲覧、印刷、複製及び編集の全てが可能であることを示す。
「期間」は、設定された権限の有効期間を示し、期間の指定がない場合（「ｎｕｌｌ」の場合）には、無期限に権限が有効であることを示す。なお、有効期間は、始期及び終期が定められていない無期限のもの、期間の始期のみが定められたもの、期間の終期のみが定められたもの、及び、期間の始期及び終期が定められたもの等を含む。
【００２１】
［権限設定動作］
以下、条件設定装置２の権限設定動作を説明する。
図４は、条件設定装置２（条件設定プログラム５）の権限設定動作（Ｓ１０）を示すフローチャートである。
図４に示すように、ステップ１１０（Ｓ１１０）において、電子文書に権限を設定する設定者が、ＵＩ装置２６（図１）を用いて、機密部分、権限範囲、権限内容及び期間を指定する設定情報を入力すると、ＵＩ部５１０は、入力された設定情報を設定管理部５２０に対して出力する。
設定管理部５２０は、入力された設定情報に応じて、電子文書の機密部分に権限を設定し、設定ＤＢ５３０の設定テーブル５３２を更新する。
ステップ１２０（Ｓ１２０）において、条件表示制御部５４２は、設定ＤＢ５３０内の更新を検知すると、新たに設定された権限を特定し、新たに設定された権限に対応する条件表示を検索する。すなわち、条件表示制御部５４２は、新たに設定された権限と同一の権限属性（権限範囲、権限レベル及び期間）を有する権限が既に登録されていないか検索する。他の機密部分に同一の権限が設定されている場合には、これと同一の表示態様（色及び模様）で条件表示を表示させるためである。
【００２２】
ステップ１３０（Ｓ１３０）において、条件表示制御部５４２は、対応する条件表示を発見した場合に、条件設定プログラム５は、Ｓ１５０の処理に移行し、これ以外の場合に、Ｓ１４０の処理に移行する。
ステップ１４０（Ｓ１４０）において、条件表示制御部５４２は、新たに設定される権限の条件表示について、表示態様（色及び模様）を選択させる画面（表示属性設定画面）を表示させて、表示態様の選択を受け付け、選択された表示態様を権限属性に対応付けて登録する。
ステップ１５０（Ｓ１５０）において、条件表示制御部５４２は、権限が設定された機密領域に、設定された権限の属性に応じた条件表示を表示させる。
このように、条件表示制御部５４２は、新たに権限が設定されると、新たな条件表示を追加して、設定された複数の権限に対応する条件表示を表示させる。
【００２３】
図５は、図４に示された設定情報入力処理（Ｓ１１０）をより詳細に説明するフローチャートである。
図５に示すように、ステップ１１２（Ｓ１１２）において、ＵＩ部５１０は、ＵＩ装置２６（図１）を介して、機密部分の範囲を指定する操作を受け付け、さらに、指定された機密部分について権限を与える対象（権限付与対象）の入力を受け付ける。
ステップ１１４（Ｓ１１４）において、ＵＩ部５１０は、ＵＩ装置２６を介して、権限の有効期間の入力を受け付ける。
ステップ１１６（Ｓ１１６）において、ＵＩ部５１０は、ＵＩ装置２６を介して、権限レベルの設定操作を受け付ける。
ステップ１１８（Ｓ１１８）において、ＵＩ部５１０は、機密部分、権限付与対象、有効期間、及び権限レベルを識別する情報を、設定情報として設定管理部５２０に対して出力する。
設定管理部５２０は、入力された設定情報に応じて、権限の設定を行い、設定ＤＢ５３０の設定テーブル５３２を更新する。
【００２４】
［設定画面］
図６は、ＵＩ部５１０により表示される設定画面を例示する図である。図６（Ａ）は、機密部分の指定を受け付ける設定画面６１０を例示し、図６（Ｂ）は、権限の有効期間の設定を受け付ける設定画面６２０を例示し、図６（Ｃ）は、権限レベルの設定を受け付ける設定画面６３０を例示する。
図６（Ａ）に例示するように、ＵＩ部５１０は、図５のＳ１１２において、設定画面６１０を表示させる。設定画面６１０には、設定確認画面６１２と、画面遷移ボタン６１４とが表示される。
設定確認画面６１２は、権限設定の対象となる電子文書を表示し、機密部分の範囲を指定する操作を受け付ける。指定された機密部分は、指定範囲表示６１２ａにより表示される。
画面遷移ボタン６１４には、期間設定画面６２０に遷移するためのボタン６１４ａと、権限付与対象を設定する対象設定画面６３０に遷移するためのボタン６１４ｂと、権限レベルを設定するレベル設定画面６４０に遷移するためのボタン６１４ｃとが含まれる。
権限の設定者は、設定確認画面６１２で機密部分の範囲（権限が設定されるコンテンツ）を指定し、画面遷移ボタン６１４をクリック等して、指定された機密部分に対する権限属性（期間、対象又は権限レベル）の設定処理に移行する。
【００２５】
図６（Ｂ）に例示するように、ＵＩ部５１０は、図５のＳ１１４において、期間設定画面６２０を表示させる。期間設定画面６２０には、図６（Ａ）と実質的に同一の設定確認画面６１２と、テンキーボタン６２２と、スタイラスバー６２４と、期間表示部６２６とが表示される。
テンキーボタン６２２は、表示された数字又は文字の選択操作を検知して、権限の有効期間の入力を受け付ける。また、スタイラスバー６２４は、バー６２４ａのドラッグ操作を検知して、権限の有効期間の入力を受け付ける。
期間表示部６２６は、入力された有効期間を表示して、入力結果を確認させる。
【００２６】
図６（Ｃ）に例示するように、ＵＩ部５１０は、図５のＳ１１６において、レベル設定画面６１２を表示させる。レベル設定画面６１２には、図６（Ａ）と実質的に同一の設定確認画面６１２と、レベル設定ボタン６３２とが表示される。
レベル設定ボタン６３２は、閲覧（Ｖｉｅｗ）、印刷（Ｐｒｉｎｔ）、複製（Ｃｏｐｙ）及び編集の可否を選択する操作を受け付ける。
【００２７】
図７は、条件表示制御部５４２により表示される表示属性設定画面６４０を例示する図である。条件表示制御部５４２は、図４のＳ１４０において、表示属性設定画面６４０を表示させる。表示属性設定画面６４０には、色指定部６４２と、パターン指定部６４４とが表示される。
色指定部６４２は、自動色割当ボタン６４２ａと、色選択ボタン６４２ｂ等とを有する。自動色割当ボタン６４２ａがクリック操作等を検知すると、条件表示制御部５４２は、権限属性を一意に区別できるように色を自動的に割り当てる。また、色選択ボタン６４２ｂ等がクリック操作等を検知すると、条件表示制御部５４２は、検知位置に応じた色を条件表示に割り当てる。
パターン指定部６４４は、複数の模様に対応するパターン選択ボタン６４４ａ等を有する。パターン選択ボタン６４４ａが選択操作を検知すると、条件表示制御部５４２は、選択操作に対応する模様を条件表示に割り当てる。
権限設定者は、この表示属性設定画面６４０を用いて、権限の属性を区別できるように、条件表示の色及び模様を設定する。設定された表示属性（色及び模様）は、確認のため表示属性設定画面６４０上に表示される。なお、本例は、色の種類及び模様を表示属性とした形態を具体例として説明したが、これに限定されるものではなく、例えば、色の濃さ又は彩度、並びに、強調度合い等を表示属性とし、条件属性に応じて変化させてもよい。
【００２８】
図８は、設定確認画面６１２に表示される電子文書を例示する図である。また、図９は、図８に例示された電子文書に権限が設定された場合の第１のプレビュー画面７００を例示する図である。
図８に例示するように、本例の電子文書は「Ａ開発部」の組織図である。
図９に例示するように、ＵＩ部５１０は、図８に例示した電子文書をプレビュー画面７００上に表示し、さらに、条件表示制御部５４２の制御に応じて、権限が設定されていることを示す条件表示７１０ａ、７１０ｂ、７１０ｃ、及び７１０ｄを、プレビュー画面７００上に重ねて表示する。プレビュー画面７００に表示された条件表示７１０は、権限の属性に応じた色及び模様で表示され、権限が設定された機密部分（設定対象）の近傍に配置される。
なお、プレビュー画面７００は、プレビューの指示を受け付けた場合に、設定確認画面６１２の領域に表示される場合を具体例として説明するが、これに限定されるものではなく、他の領域に表示されてもよい。また、プレビュー画面７００は、プリンタ２３（図１）によりシート上に印刷されてもよい。
【００２９】
以上説明したように、各機密部分に設定された権限の属性に応じて、互いに異なる表示属性の条件表示（７１０等）を表示させることにより、権限設定者は、それぞれの機密部分にどのような権限が設定されているか、また、権限の設定されていない部分はどこかを確認することができる。
【００３０】
［第２実施形態］
次に、第２の実施形態について説明する。
上記第１の実施形態では、表示属性（表示態様）を変えて条件表示を表示させることにより、設定権限の確認を容易にしたが、狭い領域に多数の権限が重ねて設定された場合には、条件表示が重なり合って設定権限を確認しにくくなる場合がある。また、権限属性の種類が増え、条件表示の表示属性の種類が多くなると、表示属性に対応する権限属性を覚えきれず、これらを判別できなくなる場合もある。
そこで、第２の実施形態の条件設定装置２は、条件表示を簡略かつ画一的な範囲識別表示にし、この範囲識別表示の近傍に権限属性を示すアイコン（内容識別表示）を表示する。なお、本例の範囲識別表示は、権限が設定されている範囲を示す。
また、この場合でも、設定される権限の数が増えると、表示されているアイコンの数も多くなり、プレビュー画面７００が煩雑になる。そこで、本例の条件設定装置２は、機密部分がクリック等された場合にのみアイコンを表示するようにする。
【００３１】
図１０は、第２の条件設定プログラム５２の構成を例示する図である。なお、図１０に示される各構成のうち、図２に示されたものと実質的に同一なものには、同一の符号が付されている。
図１０に例示するように、条件設定プログラム５２は、図２に示された各構成に加えて、ＵＩ制御部５４０内に内容表示制御部５４４を有する。
内容表示制御部５４４は、範囲識別表示の近傍に、条件表示に対応する条件の内容を示すアイコン（内容識別表示）を表示させる。なお、アイコンの表示位置は、範囲識別表示とアイコンとを互いに関連付けることができる程度に、対応する範囲識別表示に近ければよい。
【００３２】
図１１は、条件設定プログラム５２のプレビュー時の動作（Ｓ２０）を説明するフローチャートである。また、図１２は、図１１に示された処理により表示される第２のプレビュー画面８００を例示する図である。
図１１に示すように、ステップ２００（Ｓ２００）において、ＵＩ部５１０は、ＵＩ装置２６（図１）を介して、プレビューの表示を指示する操作を受け付ける。
ステップ２１０（Ｓ２１０）において、ＵＩ部５１０は、プレビューの表示を指示する操作を受け付けると、ＵＩ装置２６を制御して、プレビュー画面８００を設定確認画面６１２（図６）の領域に表示する。
ステップ２２０（Ｓ２２０）において、ＵＩ部５１０は、プレビュー画面８００上でクリック操作の有無を検知する。条件設定プログラム５２は、範囲識別表示の領域でクリック操作が検知された場合に、Ｓ２３０の処理に移行し、これ以外の場合に、新たにクリック操作を検知するために待機し、一定期間経過後に処理を終了する。
ステップ２３０（Ｓ２３０）において、内容表示制御部５４４は、クリック操作に対応する範囲識別表示を特定し、この範囲識別表示に対応するアイコンをこの範囲識別表示の近傍に表示させる。表示されたアイコンは、範囲識別表示の領域に設定された権限の内容、権限付与の対象、及び、権限の有効期間等を示す。
ステップ２４０（Ｓ２４０）において、内容表示制御部５４４は、アイコンを表示してから既定の期間が経過すると、ＵＩ部５１０に対してアイコンの表示を禁止する旨を出力して、アイコンを非表示にする。
なお、本例では、範囲識別表示がクリックされた場合にのみ、アイコンを所定の期間表示するが、設定された権限の数がそれ程多くない場合には、常に全てのアイコンを表示しておいてもよい。
【００３３】
図１２に示すように、プレビュー画面８００には、範囲識別表示８１０と、選択条件表示８２０と、項目表示アイコン８３２と、内容表示アイコン８３４とが表示される。
範囲識別表示８１０は、権限が設定されている領域（機密部分）を示す線であり、図９で例示された条件表示７１０よりも簡易な表示である。また、本例の範囲識別表示８１０は、設定されている条件の属性によらず、同一の表示態様で表される。
選択条件表示８２０は、範囲識別表示８１０が選択されたことを示す表示であり、本例では、選択された範囲識別表示８１０ｂの表示態様を変えたものである。
項目表示アイコン８３２は、選択条件表示８２０の領域に設定された条件の項目を示す表示であり、本例の場合に、項目表示アイコン８３２ａは、権限が与えられる対象について設定されている旨を示し、項目表示アイコン８３２ｂは、権限レベルが設定されている旨を示す。
また、内容表示アイコン８３４は、各項目について設定された内容を示す表示であり、本例の場合に、内容表示アイコン８３４ａは、権限付与の対象が「Ａ２グループのみ」であることを示し、内容表示アイコン８３４ｂは、権限レベルが「閲覧可能（Ｖｉｅｗ可）」であることを示す。
項目表示アイコン８３２及び内容表示アイコン８３４は、範囲識別表示８１０が選択された場合にのみ表示される。
【００３４】
このように、条件設定プログラム５２は、範囲識別表示の領域でクリック操作等が検知された場合にのみ、対応するアイコンを表示して、設定されている機密条件の属性等を通知すると共に、不要なアイコンの表示を禁止して、プレビュー画面７００を見やすくする。
【００３５】
なお、上記実施形態では、電子文書に対する権限設定に適用する場合を具体例として説明したが、これに限定されるものではなく、例えば、ネットワーク上の各構成にセキュリティ情報を設定する場面に適用してもよい。
また、上記実施形態では、スタンドアロンのコンピュータを用いて条件設定装置２を実現する場合を説明したが、クライアント・サーバシステムにより実現されてもよい。例えば、条件設定プログラム５をサーバ装置にインストールしておき、この条件設定プログラム５のＵＩ部５１０が、クライアント端末と通信を行い、クライアント端末で入力されたデータを受信し、クライアント端末に設定画面等のデータを送信し表示させることにより実現可能である。
【００３６】
【発明の効果】
以上説明したように、本発明にかかる設定確認表示装置によれば、設定された条件の確認を容易にする。
【図面の簡単な説明】
【図１】本発明にかかる設定確認表示方法が適応される条件設定装置２のハードウェア構成を例示する図である。
【図２】制御装置２０（図１）により実行され、本発明にかかる設定確認表示方法を実現する第１の条件設定プログラム５の構成を示す図である。
【図３】設定データベース５３０により記憶される設定テーブル５３２を例示する図である。
【図４】条件設定装置２（条件設定プログラム５）の権限設定動作（Ｓ１０）を示すフローチャートである。
【図５】図４に示された設定情報入力処理（Ｓ１１０）をより詳細に説明するフローチャートである。
【図６】（Ａ）は、機密部分の指定を受け付ける設定画面６１０を例示し、（Ｂ）は、権限の有効期間の設定を受け付ける設定画面６２０を例示し、（Ｃ）は、権限レベルの設定を受け付ける設定画面６３０を例示する図である。
【図７】条件表示制御部５４２により表示される表示属性設定画面６４０を例示する図である。
【図８】設定確認画面６１２に表示される電子文書を例示する図である。
【図９】図８に例示された電子文書に権限が設定された場合のプレビュー画面７００を例示する図である。
【図１０】第２の条件設定プログラム５２の構成を例示する図である。
【図１１】条件設定プログラム５２のプレビュー時の動作（Ｓ２０）を説明するフローチャートである。
【図１２】図１１に示された処理により表示される第２のプレビュー画面８００を例示する図である。
【符号の説明】
２・・・条件設定装置
５，５２・・・条件設定プログラム
５１０・・・ＵＩ部
５２０・・・設定管理部
５３０・・・設定データベース
５４０・・・ＵＩ制御部
５４２・・・条件表示制御部
５４４・・・内容表示制御部
５５０・・・印刷部
７００，８００・・・プレビュー画面
７１０・・・条件表示
８１０・・・範囲識別表示
８２０・・・選択条件表示
８３２・・・項目表示アイコン
８３４・・・内容表示アイコン
【図１】
2004252539.tif 000003
【図２】
2004252539.tif 000004
【図３】
2004252539.tif 000005
【図４】
2004252539.tif 000006
【図５】
2004252539.tif 000007
【図６】
2004252539.tif 000008
【図７】
2004252539.tif 000009
【図８】
2004252539.tif 000010
【図９】
2004252539.tif 000011
【図１０】
2004252539.tif 000012
【図１１】
2004252539.tif 000013
【図１２】
2004252539.tif 000014